(57)【要約】  販売機は、販売機の外側と内側との間の障壁を形成する前面扉または壁部分を含む。前面扉または壁部分は、第１ディスプレイパネルの外側が販売機の外側の少なくとも一部分を形成するように、比較的固定的に第１ディスプレイパネルを保持する。前面扉または壁部分にはアクセスポート（スロットなど）が含まれ、第１ディスプレイパネルの内向き面と並んで配置されるように、交換可能なグラフィックディスプレイパネルを例えば販売機の内側から外側へ通すことができるような大きさおよび向きに決定される。好適な実施の形態では、第１ディスプレイパネルは、外向き凸面形状を持つように前面扉または壁部分に固定され、前記交換可能なグラフィックディスプレイパネルは、前記販売機の内側からそれを前記アクセスポートに通すことによって、第１ディスプレイパネルの内側と並んで配置され、交換可能なディスプレイパネルを第１ディスプレイパネルに対して圧入させる機械的圧迫手段によって第１ディスプレイパネルの内向き面に押し付けられる。
2005516265.tif 000002
【特許請求の範囲】
【請求項１】
物品格納領域（２１６）および払出し構成をその内部に含むエンクロージャを画定するキャビネット（１２）と、
前記キャビネットのディスプレイ部分（１４、１８）と
を備えた販売機（１０）であって、前記ディスプレイ部分は、
・その中に（１４内に）その縁付近に形成されたスロット（３０８）と、
・前記キャビネットの前記ディスプレイ部分（１４）の外側に固定的に取り付けられたディスプレイパネル（１８）と
を含み、前記外側ディスプレイパネル（１８）は前記スロットに隣接する縁を有するディスプレイ領域（４０８）を含み、前記スロットは、交換可能なグラフィックディスプレイパネル（４１０）をそこに通して、交換可能なグラフィックディスプレイパネル（４１０）を前記外側ディスプレイパネル（１８）の内向き面に当てて配置させるように寸法が決められた長さを持つ
ように構成された販売機。
【請求項２】
前記ディスプレイ部分（１４）が前記ディスプレイパネルをそこに固定するために圧迫手段（９）を含む、請求項１に記載の販売機。
【請求項３】
前記キャビネットの前記ディスプレイ部分が前記キャビネットの内側へのアクセスを提供するための扉（１４）を含む、請求項１に記載の販売機。
【請求項４】
前記扉（１４）が、
前記販売機の内側への無許可アクセスを防止するためのロック（３６）と、
前記外側から前記キャビネットの内側への無許可侵入を遮るように、前記スロット（３０８）と並置して前記扉の内側に解除可能に固定されるカバーと
を含む、請求項３に記載の販売機。
【請求項５】
前記カバーが鎖錠可能である、請求項４に記載の販売機。
【請求項５】
前記スロットが前記キャビネットの外側からアクセス可能であり、前記外側から前記キャビネットの内側への無許可侵入を遮るように前記カバーが前記扉の外側に解除可能に固定された、請求項４に記載の販売機。
【請求項６】
前記外側ディスプレイパネル（１８）が透明部分（４０８）を含み、
交換可能なグラフィックディスプレイパネルがそこ通って前記透明部分と並んで配置することができるように、前記スロット（３０８）が前記透明部分に隣接して配置された、請求項１に記載の販売機。
【請求項７】
前記交換可能なグラフィックディスプレイパネル（４１０）の縁を解除可能に係合し、かつ、前記交換可能なグラフィックパネルを前記外側ディスプレイパネル（１８）の内向き面に対して圧迫して張力嵌合させるように前記縁に力を加えるための圧迫手段（３２０）をさらに含む、請求項３に記載の販売機。
【請求項８】
前記圧迫手段（３２０）が前記スロットに沿って配設され、前記扉の内側でアクセス可能である、請求項７に記載の販売機。
【請求項９】
前記圧迫手段（３２０）が、前記交換可能なグラフィックパネルの前記縁を受容する第１位置と、前記圧迫力を与える第２位置との間で枢動可能である、請求項８に記載の販売機。
【請求項１０】
前記圧迫手段（３２０）が、前記スロットに沿って配設された複数のばねクリップと、前記ディスプレイパネル１８の前記スロットに対向する部分に対向するように配設された対応する複数のばねクリップとを含み、前記対向するばねクリップ間の距離が、前記交換可能なグラフィックパネルの前記縁に前記圧迫力を与えるように決定される、請求項７に記載の販売機。
【請求項１１】
ディスプレイ面の実質的に外側全体を形成するための第１ディスプレイパネル（１８）であって、少なくとも一部分が透明である第１ディスプレイパネルと、
ディスプレイグラフィックスを含む第２ディスプレイパネル（４１０）と、
前記交換可能なグラフィックパネルを前記第１ディスプレイパネルの内側に対して圧迫して張力嵌合させ、前記第１ディスプレイパネルの透明部分（４０８）と整列させるように、前記第２ディスプレイパネルの縁を解除可能に係合するための１つまたは複数のばね力発生装置（３２０）と
を備えたディスプレイ面。
【請求項１１】
前記ディスプレイ面が自動販売機の外側ディスプレイ部分を形成し、
前記第２ディスプレイパネル（４１０）が前記販売機に格納された物品を表すディスプレイグラフィックスを含む、
請求項１１のディスプレイ面。
【請求項１２】
前記第１ディスプレイパネルの透明部分が前記物品販売機の実質的にディスプレイ面全体を構成する、請求項１１のディスプレイ面。
【請求項１３】
前記第１ディスプレイパネルの透明部分が前記販売機のディスプレイ面の一部分を構成する、請求項１１のディスプレイ面。
【請求項１４】
前記第２ディスプレイパネルが、前記販売機に格納された物品を表す交換可能な補足グラフィックカード（５２０）を保持するための第１シート（５１６）を含む、請求項１１のディスプレイ面。
【請求項１５】
前記第１シートが、前記販売機に格納された特定の物品の選択識別を表すグラフィックスをも保持する、請求項１１のディスプレイ面。
【請求項１６】
前記第１シートが、前記特定の物品の価格を表すグラフィックスをも保持する、請求項１１のディスプレイ面。
【請求項１７】
前記第２ディスプレイパネル（４１０）が前記第１シートと実質的に同一形状を持つ第２シート（５１０）を含み、かつ、前記第１及び第２シートが相互に重ねて配置されたときに前記第１シートに保持されたカードを補足するように配置された事前印刷グラフィックス（５１２、５１４）を含む、請求項１４のディスプレイ面。
【請求項１８】
前記第２シートの前記事前印刷グラフィックスが、
前記販売機に格納された特定の物品を表す前記第１シート（５１６）の交換可能なグラフィックカード（５２０）のための
境界（５１２）、
一意の選択識別子（５１４）、および
価格（５１４）
のうちの１つまたはそれ以上を含む、請求項１７のディスプレイ面。
【請求項１９】
前記第１シート（５１６）が、前記第１シートに形成されたスロット（５１８）を用いてそこに前記カード（５２０）を保持する、請求項１４のディスプレイ面。
【請求項２０】
前記第１シートのスロットが、前記カード（５２０）の隅を受容して前記カードを予め定められた位置に保持するように配置される、請求項１９のディスプレイ面。
【請求項２１】
前記第１シート（５１６）のスロットが、前記カードの幅部分を受容して前記カードを予め定められた位置に保持するように配置される、請求項１９のディスプレイ面。
【請求項２２】
前記カードが前記第１シートに対して移動するのを防止し、かつ前記第２ディスプレイパネル（４１０）の前記第１、第２、および張力シートのアセンブリに対する補強材として働くように、前記第１シートの片面に配置される、前記第１シートと実質的に同一形状を有する張力シート（５２２）をさらに含む、請求項１９のディスプレイ面。
【請求項２３】
前記第１シートと実質的に同一形状を有する第２シートであって、前記第１シートが事前印刷グラフィックスを含んでおり、前記第１および第２シートが相互に重ねて配置されたときに前記第１シートに保持されたカードを補足するように、前記第１シートの反対側の面に配置される第２シートをさらに含む、請求項１９のディスプレイ面。
【請求項２４】
前記第１、第２、および張力シートを一緒に固定するための手段（リベット）が備えられた、請求項２３のディスプレイ面。
【請求項２５】
前記固定手段が前記第１シートおよび張力シートの一方にタブ部を含み、それが前記第１シートおよび張力シートの他方にあり前記タブ部と整列した受容部を解除可能に係合する、請求項２４のディスプレイ面。
【請求項２６】
前記タブ部が摩擦嵌合を用いて前記受容部を解除可能に係合する、請求項２４のディスプレイ面。
【請求項２７】
販売機のディスプレイ面を制御するための方法であって、
前記ディスプレイ面の外側部分を形成するために、少なくとも一部分（４０８）が透明である第１ディスプレイパネル（１８）を外側に実質的に永久的に取り付けた販売機を提供するステップと、
前記販売機に格納される物品を表すディスプレイグラフィックス（５２０）を含む交換可能な第２ディスプレイパネル（４１０）であって、前記第１ディスプレイパネルの透明部分と整列するように大きさを決められた第２ディスプレイパネルを提供するステップと、
前記第２ディスプレイパネルを前記第１ディスプレイパネルの内側面に対して圧迫して張力嵌合させ、前記第１ディスプレイパネルの透明部分（４０８）と整列させて、ディスプレイ面を形成するように、前記第２ディスプレイパネルの対向縁部を解除可能に係合し、前記ディスプレイグラフィックス（５２０）が前記販売機の利用者に見えるようにするステップと
を含む方法。
【請求項２８】
前記販売機が縁部付近にスロットを含むディスプレイ部を有するキャビネットを含み、前記提供ステップが、
前記第２パネルを前記スロットに通して前記ディスプレイ部の内側から前記ディスプレイ部の外側に送り、前記第２パネルを前記第１ディスプレイパネルの透明領域と並置させるステップ
を含む、請求項２７に記載の方法。
【請求項２９】
前記販売機からの個々の選択を表す交換可能なグラフィックディスプレイカードを前記第２ディスプレイパネル上に配置するステップ
をさらに含む、請求項２７に記載の方法。
【請求項３０】
前記配置ステップが、
前記販売機に格納された特定の物品を表す交換可能なグラフィックカード（５２０）のための境界、一意の選択識別子、または価格のうちの１つまたはそれ以上を表す事前印刷グラフィックスを有する第１可撓性シート（５１０）を提供するステップと、
前記交換可能なグラフィックカードを保持するために前記第１可撓性シートと並置して第２可撓性シート（５１６）を提供するステップと
を含む、請求項２９に記載の方法。
【請求項３１】
前記第１および第３可撓性シートの間に前記第２可撓性シートを挟むように第３可撓性シート（５２２）を提供するステップ
をさらに含む、請求項３０に記載の方法。
【発明の詳細な説明】
【技術分野】
【０００１】  本願は、「ＭＥＴＨＯＤ  ＡＮＤ  ＡＰＰＡＲＡＴＵＳ  ＦＯＲ  ＡＲＴＩＣＬＥ  ＨＡＮＤＬＩＮＧ，ＳＵＣＨ  ＡＳ  ＦＯＲＡ  ＶＥＮＤＩＮＧ  ＭＡＣＨＩＮＥ」と称する２０００年１２月２１日出願の米国暫定特許出願第６０／２５７，３１６号，および「ＭＥＴＨＯＤ  ＡＮＤ  ＡＰＰＡＲＡＴＵＳ  ＦＯＲ  ＱＵＩＣＫ  ＣＨＡＮＧＥ  ＤＩＳＰＬＡＹ  ＧＲＡＰＨＩＣＳ  ＯＮ  Ａ  ＭＥＲＣＨＡＮＤＡＩＳＥＲ」と称する２００１年５月２９日出願の米国暫定特許出願第６０／２９４，２８４号の優先権を主張する。これらの特許出願の開示全体を参照によってここに組み込む。【０００２】  本発明は、例えば自動販売機などの販売機（ｍｅｒｃｈａｎｄｉｓｅｒ）で早替えディスプレイグラフィックスを提供するための方法および装置に関する。
【背景技術】
【０００３】  従来、販売機の前面扉のグラフィックパネルはほぼ永久的に設置される。これらの扉のグラフィックスを変更したい場合、扉に取り付けられたグラフィックパネルの１つまたはそれ以上を変更するのに、往々にして１５分から２時間の間の時間がかかった。国際特許公報ＷＯ００／３９７８０は、キャビネットの頂部に配置されたスプール組立体に交換可能なディスプレイシートが格納されており、該ディスプレイシートが、販売機の正面の新しいディスプレイ面として表示するために、スプールから手動でまたは自動的に下降するように構成された自動販売機を記載している。この技術はグラフィックスの迅速な交換を可能にするが、１つの欠点は、交換可能なシートが事前に製造されて機械内に格納されており、それにより販売機から入手可能な選択の変更ができないことである。さらなる欠点は、事前に製造されたシートに示される選択番号または価格を変更するために手段が備えられていないことである。【０００４】  また、個々の選択が事前に印刷されている補助グラフィックカードを支持するための剛性補助支持フレームを、自動販売機のディスプレイ面と並置して設けることは、例えば「ＶＥＮＤＩＮＧ  ＭＡＣＨＩＮＥ」と称する２０００年８月７日に出願した本願発明者の先願国際出願ＰＣＴ／ＵＳ００／２１５５６から、自動販売機技術において一般的に公知である。カードの隅（または縁）は、フレームに形成されたスロット（またはレール）に挿入される。次いでフレームは、顧客に補助選択を提示するために、販売機のディスプレイ面の残りの部分と連携して配置される。別の型の支持体は、利用者が商品の選択を行うために押すための、事前印刷された個別選択カードをそこに配置することのできる、大きい透明な選択「押しボタン」を含む。【０００５】  ２０００年２月１５日にペプシコ社に発行された米国特許第６，０２３，８７０号は、自動販売機のディスプレイグラフィックスを変更するための方法および装置を記載している。該技術は、静電気を使用して（または代替実施の形態では接着剤を使用して）自動販売機のディスプレイ面の裏面に、単独で、または複数の可撓性グラフィックシートと共に貼り付けられる単数または複数の可撓性グラフィックシートの使用を含む。ディスプレイ面を変更するには、単数または複数の可撓性グラフィックシートを実際に貼り付けるためだけでなく、可撓性グラフィックシートに適切な静電気による接着ができるように裏面を適切に清掃して準備するため、または化学接着剤を塗布するためにも、ディスプレイ面の裏面に充分にかつ遮られずにアクセスすることができなければならない。【０００６】  販売機のディスプレイ面に早替えグラフィックスを設けることは、特に早替えグラフィックスが１回の動作で販売機のディスプレイ面のグラフィックスのかなりの（１５パーセントを超えるような）部分を変更することが目標である場合には、比較的単純なタスクではない。これは、自動販売機など、販売機の製造者にとって一般的に重要な１つの問題が、ディスプレイ面グラフィックスが取り付けられる販売機の前面扉または壁部分の構造的完全性を犠牲にしてはならないことであるためである。同等に重要な別の問題は、ディス��レイ面が取り付けられる販売機の前面扉または壁部分によってもたらされるセキュリティまたは侵入防止も犠牲にしてはならないことである。
【発明の開示】
【発明が解決しようとする課題】
【０００７】  これらの先行技術のディスプレイ面変更技術の欠点の一部は、間違った設定の傾向があり、選択の変化に対する制御が容易でなく、時間がかかり、場合によっては設置が複雑なことである。【０００８】  販売機における選択の提示の制御された変更をより簡単に、迅速に、確実に、かつ視覚的に快適に達成することができる方法および装置を提供することが望ましい。【０００９】  したがって、本発明の目的は、
・販売機のセキュリティを維持（すなわち内部への無許可アクセスを防止）しながら、かつ
・ディスプレイ面グラフィックスが取り付けられる販売機の前面扉または壁部分の構造的完全性を維持しながら、
・販売機のディスプレイ面のかなりの（１５パーセントを超えるような）部分を変更するために（ディスプレイ面は背後から照明する場合も照明しない場合もあり、すなわち、したがって透明、半透明、または不透明のいずれかとすることができる）、
・早替えグラフィックス
を提供することである。【００１０】  上記目的を満たすための課題は、
・電球、その取付具および関連配線等、
・ディスプレイ面グラフィックスが取り付けられる販売機の前面扉または壁部分の構造を提供する梁、
・ディスプレイ面グラフィックスが取り付けられる販売機の前面扉または壁部分に一般的に取り付けられる顧客取出し領域に関連する構造、
・セキュリティを提供し（すなわち無許可アクセスを防止し）、かつディスプレイ面グラフィックスが取り付けられる前面扉または壁部分に対して一般的に直交して配置され、ディスプレイ面グラフィック領域とユーザインタフェース部品が収容されるキャビネットの部分（一般的に前面扉）との間に位置付けられたセキュリティパネル
といった、ディスプレイ面の内側へのアクセスを妨げる障害物を含む。
【課題を解決するための手段】
【００１１】  本発明の一態様では、販売機は、販売機の外側と内側との間に障壁を形成する前面扉または壁部分を含む。前面扉または壁部分は、第１ディスプレイパネルの外側が販売機の外側の少なくとも一部分を形成するように、第１ディスプレイパネルを比較的固定的に保持する。前面扉または壁部分にアクセスポート（スロットなど）が含まれ、交換可能なグラフィックディスプレイパネルを例えば前面扉または壁部分の内側から外側に通過させて、第１ディスプレイパネルの内向きの面と並んで配置させることができるように、寸法および向きが決められる。好適な実施の形態では、第１ディスプレイパネルは、外向きに凸面形状（本発明の教示から逸脱することなく他の形状も可能である）を持つように前面扉または壁部分に固定され、交換可能なグラフィックディスプレイパネルは、それを例えば前記前面扉または壁部分の内側から前記アクセスポートを通し、交換可能なディスプレイパネルを第１ディスプレイパネルに圧入させる機械的圧迫手段によって第１ディスプレイパネルの内向きの面に押し付けることによって、第１ディスプレイパネルの内側の面と並んで配置される。【００１２】  本発明のさらなる態様では、第１ディスプレイパネルは、交換可能なグラフィックディスプレイの少なくとも特定部分と整列させるために実質的に透明な領域を含み、交換可能なグラフィックディスプレイパネルの該特定部分は、販売機から入手可能な選択可能項目を示すグラフィックスを含む。【００１３】  本発明のさらに別の態様では、交換可能なグラフィックディスプレイパネルは少なくとも２枚のシート、すなわち、前記選択可能項目を示す交換可能なグラフィックスを保持するためのホルダシート、および前記ホルダシートを第１ディスプレイパネルの内向きの面に圧着させるための張力シートを含む。さらなる実施の形態では、交換可能なグラフィックディスプレイパネルは３枚のシートを含むことができる。最初の２枚のシートは上述したものと同様であり、第３のシートは、張力シートと協働してそれらの間にホルダシートを挟む新しい第１シートである。【００１４】  本発明のさらに別の態様では、圧迫手段は、交換可能なグラフィックディスプレイパネルをその一辺に沿って係合するための止め子と、交換可能なグラフィックディスプレイパネルの反対側の一辺を係合し、交換可能なグラフィックディスプレイパネルを第１ディスプレイパネルの内向きの面に張力（すなわち「スナップ」）嵌合させるためのばね手段、例えば板ばねまたは圧縮ばねとを含む。【００１５】  本発明のさらなる態様では、交換可能なグラフィックディスプレイパネルの圧迫手段との係合または離脱を助けるために、「レバーまたは靴べら」機構が設けられる。【００１６】  販売機の前面扉または壁部分を形成し、あるいはそれに取り付けられる他の部分または構造は、交換可能なグラフィックディスプレイパネルをアクセスポート内に挿入して第１ディスプレイパネルと並んで配置させることを妨げる永久的（または容易に取外しできない）障害にならないように配置される。例えば、本発明の図示した好適な実施の形態では、ディスプレイ面を背面照明するために使用される電球の配置用に、前記販売機キャビネットの扉部分にスロットが設けられる。電球をスロット内に取り付けることによって、電球は交換可能なグラフィックパネルを第１ディスプレイパネルと並んで配置することに対する障害にならない。セキュリティおよび販売機キャビネットの構造的完全性を維持するために、前面扉の内側表面で電球スロットに対するカバーだけでなく、交換可能なグラフィックディスプレイパネルを挿入するために使用されるアクセスポートに対する固締可能なカバーをも取り付けることができる。本発明にしたがって第１ディスプレイパネルと並置する交換可能なグラフィックディスプレイパネルの挿入に対して一般的に障害になるセキュリティパネルを販売機の前面扉がユーザインタフェースの一端に沿って含み、したがって前面扉の正面に直交して持つことができるようにした本発明の実施の形態では、セキュリティパネルは、第１の上記アクセスポートと整列するようにそこに形成された１つまたは複数のアクセスポート（すなわちスロット）を持つ。代替的に、セキュリティパネルおよび関連ユーザインタフェースは、前記アクセスポートが形成された扉部分または壁部分の中心と扉部分または壁部分の縁との間に配置されるように、かつ第１ディスプレイパネルと並置する交換可能なグラフィックパネルの挿入および配置の障害とならないように、ディスプレイ面グラフィックスを含む販売機の前面扉または壁部分に取り付けることができる。加えて、セキュリティ扉はスロットの方向から外れるように取り付けることができる。【００１７】  本発明のさらなる態様では、これらの目的は、例えば販売機キャビネットのディスプレイ面に互換性グラフィックスまたは補助グラフィックスを表示する方法を提供することによって達成され、該方法は、
前記ディスプレイ面の外側部分を形成するために、少なくとも一部分が透明である第１ディスプレイパネルを実質的に永久的に販売機キャビネットの外側に取り付けるステップと、
前記販売機に格納された商品を表す、そこに配置された交換可能な第２ディスプレイグラフィックスを一実施の形態で含む交換可能な第２ディスプレイパネルであって、比較的可撓性であり、ディスプレイ面の互換性グラフィックスまたは補助グラフィック部分を提供するために前記第１ディスプレイパネルの透明部分とグラフィック的に統一された状態に整列しかつ組み合わされるような寸法に決められた第２ディスプレイパネルを提供するステップと
を含む。【００１８】  本発明のさらなる態様では、第１および第２ディスプレイ部分を含む第１パネルは、販売機キャビネットのディスプレイ面の主要部分を構成し、第１ディスプレイ部分は事前印刷されたグラフィックスを有し、第２部分は実質的に透明である。【００１９】  本発明のさらなる態様では、第１および第２ディスプレイパネルが整列したときに、前記第１および第２パネルのグラフィックスが結合して、販売機の潜在的利用者に対する明らかに単一のディスプレイ提示をもたらす。【００２０】  本発明のさらなる態様では、第２ディスプレイパネルもまた、第１ディスプレイパネルの事前印刷されたグラフィックスと結合して前記明らかに単一のディスプレイ提示をもたらす事前印刷されたグラフィックスを含む。【００２１】  本発明のさらなる態様では、販売機は、その内部に商品格納領域および払出し構成を含むエンクロージャを画定するキャビネットを含む。キャビネットのディスプレイ部分は、その縁に隣接してグラフィック導入スロットを含む。スロットは、交換可能なグラフィックスを含む第２パネルをディスプレイ部分の内側からディスプレイの外側に通すように決められた長さを有する。【００２２】  本発明のさらなる態様では、ディスプレイ部分は、前壁の外部に交換可能な第２ディスプレイパネルを解除可能に固定するための手段を含む。【００２３】  本発明のさらなる態様では、解除可能に固定するための手段は、交換可能な第２パネルの向い合せの縁を係合し、交換可能な第２パネルを第１ディスプレイパネルの内向きの面に半永久的位置に押し付けるように縁に力を加えるためのホルダを含む。【００２４】  本発明のさらなる態様では、ホルダはスロットに沿って配設され、前壁の内側でアクセス可能である。【００２５】  それ以外では実質的に中実の扉におけるスロットは、ディスプレイ面グラフィックスを迅速に変更するためのアクセスを同時に提供しながら、無許可アクセスまたは侵入からの販売機のセキュリティを促進するために、交換可能な第２パネルと共に作動するように設計されることに注目されたい。【００２６】  これに関して、錠止カバープレートを使用して、グラフィック導入スロットは、販売機に補充するサービス（「ルート」）担当者に比べて、販売機の所有者（または販売機に格納される商品の供給者）など許可された者だけに限定することができることに注目されたい。本発明のさらなる実施の形態で錠止カバーを使用してスロットへのアクセスを防止する場合、グラフィック導入スロットおよびその錠止カバーへは前記販売機の外部からアクセスすることができる。これにより、許可された者はディスプレイ面グラフィックスを販売機の外側から定期的な整備とは独立して変更することが可能になる。【００２７】  本発明の原理にしたがって、スロットは様々なグラフィックシートを受け入れることができる。例えば枚葉シート（交換可能なカードのための装備付きまたは装備無し）、複数シートのアセンブリ（これから記載する好適な実施の形態の場合のように）、およびシート上のポケット（例えばポケットはグラフィックスが印刷され、透明な窓のある前面シートの裏面に取り付けることができる）さえ挙げられる。【００２８】  ��適な実施の形態の本発明の一態様では、交換可能なグラフィックディスプレイパネルは、一緒に挟まれて単一の交換可能なグラフィックアセンブリを形成する３枚の整列したシートを備え、前部「マスク」シート、中間グラフィックカード「保持」シート、および後部「張力または支持」シートを含む。中間保持シートは、販売機によって販売可能である個々の格納商品を表す交換可能なグラフィックディスプレイカードを保持するための手段を含む。【００２９】  前部シートはカードに対する保護カバーとして働き、カードの周囲の審美的目的の印刷枠組を形成するためなどの事前印刷だけでなく、「銘柄」または宣伝型グラフィックスなどの一般的に成熟した他のグラフィックスを含むこともできる。加えて、第１シートの事前印刷は、選択番号または価格情報をそこに含めることもできる。代替的に、カード自体が価格または選択タグをそこに取り付けるためのスロットまたはポケットをその中に持つこともできる。【００３０】  後部シートは透明であり、前部、中間、および後部シートが結合されて単一アセンブリを形成したときに、中間シートに保持されたカードの位置がずれるのを防止するように働く。シートの結合は、例えば接着剤、リベット、クランプ、またはステープルを使用して、接着、接合、または固定によって行うことができる。３枚のシートは、シートを容易に単一アセンブリに結合するために、それらに適切に打ち抜かれた穴を持つことができる。【００３１】  好適な実施の形態では、中間シートは、カードを保持するように適切に配置されたスロットを含む。この構成では、前部シートは、カードが中間シートにおけるそれらの予め定められたスロット内に配置された後でそこから抜け落ちるのを防止するように働き、実際、前部または後部シートの事前印刷グラフィックスは全て、交換可能なグラフィックカードを保持する単一シートすなわち「ホルダ」シート上に配置することができる。【００３２】  さらなる実施の形態では、交換可能なグラフィックカード付きのシートは、前部または後部シートの便宜無しに１枚のシートに取り付けることができる。【００３３】  好適な実施の形態では、カードはそれらの隅を係合するスロットによって中間シートに保持され、それによってカードの隅を中間シートの裏に突出させることができるので、中間シートがグラフィック導入スロットを通されるときにカードの隅が当たって中間シートから外れることがないように、後部シートは中間シートに取り付けられたカードに対する保護を提供する。加えて、後部シートはさらに、特に張力弧として設計された、すなわちバブル前面グラフィックデザインのディスプレイ面で使用されるときに、張力支持構造として働く。【００３４】  本発明のさらなる特徴では、中間シート（またはそこに保持されたカード）は、価格タグおよび／または選択番号タグを、それらが各々のカードと関連付けられるような仕方で取り付けるための追加スロットなど、さらなる構成を含むことができる。このようにして、交換可能なグラフィックディスプレイを含むアセンブリは、販売機の所有者および彼の工場、または彼の倉庫で販売機に格納される製品の供給者などによって、販売機から離れた場所で作成するこ��ができる。この方法および装置は、販売機を整備するために現場での労力、努力、および時間を低減するだけでなく、販売機に格納された商品に対して表示される選択または価格に対するある程度の制御をも商品製造者または販売機所有者にもたらす。【００３５】  本発明の一態様では、中間および後部シートの厚さおよび可撓性は、後部シートが中間シートに張力および構造を与えるように決定される。【００３６】  さらなる実施の形態では、中間シートの予め定められた位置にカードを保持するために他の手段を使用することができる。例えば、「隅」スロットの代わりに、カードはその長さまたは幅に沿った位置に切欠きを設けるか「外側タブ」を持つことができ、それにより切欠きまたはタブは、中間シートにカード長スロットを係合するための特定の捕捉点を提供する。カードの外側切欠きまたはタブに比較して、隅捕捉を使用する利点の１つは、スリットまたは剪断生産技術を用いてカードを大量生産することができることであるが、切欠きまたはタブは打ち抜きかつ切り欠くことが必要であり、それによって材料が無駄になり、より複雑な製造工程が必要になる。【００３７】  本発明のさらなる態様では、上述の技術を用いてグラフィックディスプレイ面全体（すなわちその一部分だけでなく）の外観を変更することができることに注目されたい。この場合、バブルフロントディスプレイ面（第１ディスプレイ面）は全体的に透明であるか、または顧客製品取出し領域の上の１つおよび下の１つのように透明な少なくとも２つの主要部分を含む。この場合、ディスプレイ面の各透明領域に１つづつ、対応する数の交換可能な第２パネルが提供される。交換可能な第２パネルを形成するために、３枚のシートの上述した好適なアセンブリ、または交換可能なグラフィックカード位置を有する単一シードでも使用することができる。本発明の別の態様では、前部透明表面の後ろに１つの容易に取外し可能なグラフィックシートを配置することができる。この設計は、交換可能なシートを妨げないように特別に設計された顧客取出しボックス領域を必要とする。これを達成する別の方法は、前部の透明な構造用シートの領域外に（例えば顧客インタフェース領域の下に）の顧客箱を移動させることである。【００３８】  本発明のさらなる態様では、前部ディスプレイ面上の１つまたは２つの追加領域も容易に交換可能であり、これらは顧客製品取出し領域に隣接し、その両側にあることに注目されたい。本発明のこの実施の形態は、顧客取出し領域の第１の上述したグラフィック導入スロットを持つ側とは反対側に第２グラフィック導入スロットを必要とすることがある。この実施の形態では、第２型のパネルを最高４枚まで提供する潜在的能力があり、第２型の交換可能なパネルで使用されるグラフィックスは、ディスプレイ面を形成する第１パネルのグラフィックスと統一された画像または絵を形成する相補的グラフィックスを持つことができる。代替的に、交換可能なパネルで使用されるグラフィックスは、例えば３つまたは４つの離散画像領域（上部領域、２つの中央領域、および底部領域）を提供するために使用することができ、あるいは中央の２つの領域を２つの別個の画像成分として取り扱うこともできるものとすることができる。【００３９】  ディスプレイ面の外側全体がポリカーボネート材の単一透明シートを含むことができることに注目されたい。本発明の１つの他の実施の形態では、機械の前面にポリカーボネートなどの材料の完全に透明な前面部品を利用し、機械はその背後に蝶着することのできるセキュリティ扉を持つことができ、機械オペレータはグラフィックスを変更し、扉をスロットとして使用することが可能になる。【００４０】  本発明のさらなる特徴では、販売機の製品取出し扉はその上に画像を持つことができ、希望する場合には、該画像はそれに隣接するパネルの画像を補足し、それによってディスプレイ面として統一された画像または連続した画像を提供するように見えるようにすることができる。加えて、顧客取出し扉は、取出し扉上の画像が照明されたように見えることを可能にする背面照明グラフィックをそこに取り付けることのできる透明な材料から作成することができる。取出し扉グラフィックスを照明するために使用される光は、販売機内部に配置された物品排出シュートに配置されたカットアウトによって供給することができる。追加的セキュリティ上の理由から、排出シュートのカットアウトは、ポリカーボネートなど、確実な構造上の完全性を有する光透過性材料によって覆う必要がある。
【発明の効果】
【００４１】  本発明では、アクセス扉またはセキュリティ扉にスロットを設けるが、本発明はそのような扉が必須ではなく、本発明のスロットはフレーム部分に設けることができ、例えば冷蔵領域用の断熱をもたらす第２扉がセキュリティ扉またはアクセス扉を構成することができる。【００４２】  第１および第２グラフィックディスプレイパネルと共にグラフィック導入スロットを含む上述の構成、および第２グラフィックディスプレイパネルを形成する複数シートアセンブリの好適な実施の形態は各々、販売機のディスプレイ面の個別選択を表わす変更を、それが許可された者によってのみ行われるように制御するための特に有利な方法を提示する。上述した通り、特に有利であるのは、単一の交換可能なグラフィックアセンブリを販売機から離れた場所で作成または組み立てることができ、それによって交換可能なグラフィックカードだけでなく、選択の各グラフィックイラストレーション用の関連価格タグおよび選択タグ、ならびに各グラフィックカードのディスプレイ面における相対位置をも同様に変更することができるという事実である。さらに、交換可能なグラフィックディスプレイパネルが、一緒に挟まれて単一の交換可能なグラフィックアセンブリを形成する３枚の整列したシートを含む好適な実施の形態は、実質的に全ての交換可能なグラフィックパネルが低価格プラスチックで作成することができ、かつ固締具を使用することなく（例えば上述した圧入技術を用いることによって）離れた場所で組み立てることができ、それによりいかなるツールも必要とせず、かつ低価格組立てを助長することができるので、特に有利である。
【発明を実施するための最良の形態】
【００４３】  図１は、本書に記載する発明の環境を、店頭（ＰＯＳ）物品払出し装置などの物品販売機の形で示す。以下の説明全体を通して、自動販売機環境における本発明の実現に言及するが、用語「自動販売機」および事実上本発明の環境は、ＰＯＳ装置と同様に、より汎用の物品販売、取扱、取出しおよび／または払出し装置を含むつもりである。そのような装置は、可搬装置として実現される場合、ほぼ従来の自動販売機の大きさ、またはトラクタ牽引トレーラと同程度の大きさとすることができ、非可搬装置として実現される場合、自動払出し室、または建物内などの永久構造に配置された領域（内壁有りまたは無し、一部の実施の形態では密閉キャビネット無し）を含むことができる。さらに、用語「物品」または「製品」は、本書に記載する発明の実施の形態の少なくとも一部では、商品のみならず、サービスおよび／または永久的または一時的形の情報をも含むつもりである。以下の説明全体を通して、後続の図で使用する同様の参照番号は、それより前に述べたのと同じ特徴、要素、または部品を指すつもりであることに留意されたい。【００４４】  したがって、図１は、本発明にしたがって構成されかつ作動する装置の一実施の形態を含む自動販売機１０の斜視図を示す。自動販売機１０は主キャビネット１２と、整備（物品の補充、保守等）のために自動販売機の内部にアクセスするためにヒンジ１６に取り付けられた前面扉１４とを含む。さらなる自動販売機の実施の形態では、キャビネット１２の内部へのサービス扉またはアクセスポートは、キャビネット１２のどこにでも、あるいはその一部として配置することができることに留意されたい。図１で、前面扉１４は閉止位置で示され、主キャビネット１２のエンクロージャを形成しており、以下でさらに詳しく説明する通り、その内側に自動販売機１０の様々な構成部品が収容されている。【００４５】  前面扉１４は、平坦部分２０に隣接して凸面形状のディスプレイ面パネル１８（一般的に「バブル」前面と呼ばれる）を含むが、これらの特定の形状は本発明に必須ではない。例えば、凸面形状のディスプレイ面パネル１８は平坦にすることができる。ディスプレイ面パネル１８は、従来設計の外周フレームを会して扉１４の前部に取り付けられる。図示した実施の形態では、ディスプレイ面パネル１８は、そのグラフィックスの視認性を高めるために、図示しない蛍光灯を用いて背面照明され、したがって、例えば０．１１５インチの厚さを有するＬＥＸＡＮ（登録商標）または同様のポリカーボネートなどの半透明なプラスチック基材を含むことができる。ディスプレイパネル１８は一般的に、その内向き面に事前印刷またはスクリーン印刷されたブランド名および／またはロゴグラフィックを持ち、自動販売機１０によって販売できる個々の物品のみならず、物品の価格および／または選択情報をも示すグラフィックを含むことさえできる。本発明は、販売機のディスプレイ部分に関連する改善に向けられ、さらに詳しくは、以下でさらに詳しく記載するように、ディスプレイ面のグラフィックスをカスタム化または変更するための単純かつ確実な技術を促進する様々な特徴のみならず、ディスプレイ面のグラフィックスの変更を制御するための方法にも向けられる。したがって、最初に本発明の自動販売機の実施の形態または環境の構造および基本的作動について述べる。【００４６】  扉１４のパネル１８には、そこに格納された物品を自動販売機１０の利用者に払出しできるように顧客取出し領域２２が形成される。さらなる実施の形態では、領域２２は平坦部２０、またはキャビネット１２の別の壁に形成することができる。【００４７】  様々な利用者インタフェース構成部品が扉１４の平坦部２０に取り付けられる。顧客ディスプレイ２４は、行われた選択の利用者へのフィードバック、希望金額、および製品が売り切れであるか販売中であるかなど、様々な項目の情報を機械１０の利用者に表示するために従来の蛍光灯またはＬＥＤディスプレイパネルとすることができる。支払いを受け入れるために、勘定アクセプタスロット２６は、物品を購入するため、または釣り銭を出すために（その利用者インタフェース部が平坦部２０の開口１９内に伸長するように機械１０の内側に取り付けられた）従来の勘定受入れ機構に紙幣を受け入れる。硬貨挿入スロット２８は、物品を購入するため、または釣り銭を出すために（同じくその利用者インタフェース部が開口１９内に伸長するように機械１０の内側に取り付けられた）従来のコインチェンジャーに硬貨を受け入れる。硬貨返却アクチュエータ３０はコインチェンジャー機構の硬貨返却部を起動させるための従来の押しボタン機構を含み、コインチェンジャー機構は起動すると、現在の利用者が挿入した硬貨を硬貨返却口３２に返却する。コインチェンジャー機構の硬貨返却部はまた、物品の購入に応答して、または紙幣または大きい硬貨に対して釣り銭を出すために、硬貨返却口３２に釣り銭を提供する。クレジットまたはデビットカードスロット３４は、利用者が買物にクレジットまたはデビットカードで支払うことを可能にするために（同じくその利用者インタフェース部が開口１９内に伸長するように機械１０の内側に取り付けられた）従来のカード読取り機構に挿入されたプラスチックのクレジットまたはデビットカードを受け入れる。扉ハンドルまたはロック機構３６は、前面扉１４が鍵無しでは開くことができないように固定することを可能にする。利用者の選択を可能にするために、ディスプレイパネル１８は、上述した通り、機械で購入することのできる様々な物品のみならず、それらの関連価格および一意の選択番号をも示すグラフィックスを含むことができる。利用者が自動販売機１０から希望する物品を選択することを可能にするために、従来のキーパッド押しボタン機構３８が設けられる。代替的に、押しボタン機構３８は、よく知られている通り、各物品選択用に個別押しボタンを含むこともできる。さらなる実施の形態では、押しボタン機構３８およびディスプレイ３４に代わって、利用者が操作するタッチスクリーンを使用することができる。図１には示さないが、機械１０は、この技術の通常の熟練者には周知の通り、クレジットカード購入を認証するためだけでなく、機械の制御に関連する他の用途、ならびに在庫および機械１０の稼働状態を遠隔地に報告するためにも使用することのできる従来の電気通信部品をも含む。自動販売機１０は上述した利用者インタフ��ース構成部品を含むように図示されているが、本発明のより小型の実施の形態では、これらの利用者インタフェース部品の全部ではないが大部分を省くことができ、払出し機は局所支払いシステム付きまたはそれ無しで、事実上遠隔地から制御することができる。【００４８】  以下の説明では、図２および３を同時に参照されたい。図２は、主要な機械的および電気的構成部品を示すために、前面扉１４が開いた状態の図１の自動販売機の正面斜視図であり、図３は、本発明の原理に従って構成され、そのディスプレイ面パネル１８が取り外された状態の前面扉１４の外部の図である。【００４９】  図２に示す通り、キャビネット１２の正面の右側には、垂直に取り付けられた支持パネル２０２があり、それは利用者インタフェース構成部品の大部分を取り付けるために使用される。パネル２０２には蝶着取付けブラケット２０４が取り付けられ、選択ボタンキーパッド３８、コイン挿入スロット３０、勘定受入れスロット２８、硬貨返却３２、および顧客ディスプレイ２４などの利用者インタフェース構成部品の全てに利用者が扉１４の正面側からアクセスできるように、扉１４の開口と整列している。前面扉１４の内部に取り付けられているのは、背面照明パネル１８用の光を放射する２つの蛍光灯光源である（図示せず）。蛍光灯光源は、蛍光灯の挿入を考慮した扉１４の構造のスロット開口（図３に３０２で示す）の結果望ましいセキュリティ（侵入防止）をもたらすために、保護カバー２０６の背後にある。また、前面扉１４の内部には、蛍光灯に電力を供給するための安定器２０８、および製品払出しシュート２１０も取り付けられている。製品払出しシュート２１０は極めて背が高く、したがって腕または他の把持機構を機械の外側から顧客取出し領域２２内に挿入することによる機械内への無許可アクセスの防止に役立つセキュリティ手段として働くという点で従来とは異なる。一般的な先行技術の自動販売機では、シュート２１０の頂部にスイングセキュリティドアが通常見られ、それは顧客が製品取出し領域２２の入口でスイングドアを押したときに揺動して侵入防止位置に着く。自動販売機１０のさらなる実施の形態では、そのようなスイングセキュリティドアは、特にシュート２１０が図２に示すものほど背が高くない場合、および製品取出し領域２２が機械１０の上部の高い位置に配置されている場合に、製品払出しシュート２１０と共に使用することができる。蝶着取付けブラケット２０４の後ろには、紙幣を勘定受取りスロット２８内に挿入させて販売機１０内に引き込ませる従来の勘定受け取り機構、硬貨挿入スロット２８内に挿入された硬貨を受け入れ、かつ硬貨を硬貨返却口３２に供給する従来のコインチェンジャー、磁気カード読取り器、および紙幣の勘定受入れスロット２８への適切な挿入を確認する従来の勘定確認器が取り付けられている。【００５０】  キャビネット１２の内部は、開口頂部を有する複数の垂直方向に整列したビン２１６に販売対象物品の積重ねが格納されている格納領域２１５を実質的に含む。図示した実施の形態では、格納された物品を払い出すために、吸込みホース２２０の自由端に吸込み把持装置（図示せず）を備えたロボット式物品払出し装置が使用さ��るが、そのような種類の機構は本発明にとって必須ではなく、実際、いかなる種類の払出し機構でも使用することができる。図示したロボット式払出し装置では、ホース位置決め機構が吸込みホース２２０に結合されており、ホース２２０を垂直（Ｚ）方向に駆動するために整列させた被駆動「ピンチローラ」を含むキャリッジ２１８と、キャリッジ２１８がそこから摺動可能に懸架されそれに沿って（前後「Ｙ」方向に）モータ駆動で移動するように適応された梁２３０と、梁２３０が摺動可能にそこから懸架されそれに沿ってモータ駆動で移動するように適応された、キャビネット１２の天下面に左または右「Ｘ」方向に取り付けられた摺動子構成（図示せず）を備えている。動作中、ブロワモータ（図示せず）は前記ホース２２０に吸引力をもたらし、ホース位置決め機構によりホース２２０は制御可能に位置決めされて、選択されたビン２１６に入り、ビン内の積重ねの最上部の物品に接触して固着し、選択された物品を取り出して、払出しシュート２１０に物品を配置させる。上述した通り、ここではロボット式払出し装置について述べるが、本発明の原理は、いずれの種類の払出し装置にもその払出し構成にも特定されず、したがって、払出し構成を２種類だけ挙げると、重力供給式または螺旋状ワイヤ式払出し装置を代替的に使用することができる。【００５１】  パネル２０２に制御盤２１２が取り付けられており、回路機構が形成され集積回路チップが取り付けられた印刷回路板を備えている。電源装置２１４もパネル２０２に取り付けられ、自動販売機１０の電気構成部品用の電力を供給する。制御盤２１２は、様々なセンサ、ホース位置決めモータ、上述の利用者インタフェース要素、および自動販売機１０内の他の装置に電気的に接続されたマイクロプロセッサを含み、この技術の通常の熟練者には周知の方法で物品を払い出すために自動販売機の動作を制御する。したがって、自動販売機の残りの部分の構成および動作のさらなる説明は必要ないと考えられる。【００５２】  図１、２、および３は、本発明の幾つかの態様にしたがって構成された自動販売機の前面扉の外側および内側をそれぞれ図示しており、それらは、先行技術の自動販売機に見られる構造より改善されていることに留意されたい。好適な実施の形態では、扉１４は、薄板鋼などの堅牢な材料３０４で構成され、図３に示すような扉１４の形状を形成するように作られた適切な曲げを有する。扉１４はそこに形成された幾つかの開口を有し、そこにディスプレイフレーム９が取り付けられていることに注目されたい。扉１４は、次の点で特に有利である。
・セキュリティおよび侵入防止を達成すると同時に、
・利用者選択制御および支払い機構用の上述の開口１９のみならず、蛍光灯開口３０２、のぞき窓（自動販売機の利用者がロボット式払出し装置の「作業亅をその作動中に見ることを可能にする）用の開口３０６、顧客取出し領域２２用の開口があるにもかかわらず、その構造的完全性を維持する。【００５３】  本発明の原理にしたがって、扉１４にさらなる開口、すなわちディスプレイ面変更スロットまたはアクセスポート３０８が設けられる。後でさらに詳述する通り、スロット３０８は交換可能なグラフィックディスプレイパネルをディスプレイ面パネル１８の内向き面と並置させるために使用され、本発明の一態様に係る早替えグラフィックスを可能にする。【００５４】  さらに、ばねクリップ３２０（それは単にばね鋼から形成された小さいシートまたはタブを備えることができる）は、スロット３０８に隣接して間隔をおいて配置され、対応する組のばねクリップ３２０がそれに対向するフレーム９の部分に沿って配置される。図６ａおよび６ｂは、スロット３０８に沿って配置されたばねクリップ３２０ａおよびそれに対向して配置されたばねクリップ３２０ｂの拡大図をそれぞれ示す。クリップ３２０ａはスロット３０８に通され、ねじ頭３２１により扉１４に固定される。ばねクリップ３２０ｂは、この目的のために扉１４に形成された小さい開口３２２を使用して、扉１４の反対側に同様の仕方で固定される。対向する組のばねクリップ３２０は一緒に、交換可能なグラフィックディスプレイパネルをディスプレイパネル１８と上述の並置状態に保持するための「引張りまたは圧迫手段」として機能する。顧客取出し領域２２の頂部２３は、交換可能なグラフィックディスプレイパネルのための便利な支持領域となる。交換可能なグラフィックディスプレイパネルの構成および動作のさらなる詳細については、後で詳しく述べる。フレーム２１は、顧客取出し領域２２の周囲の境界を形成しかつ顧客取出し領域２２で扉１４にバブル前面１８を固定する、図示しない外部フレーム部のための取付け支持体となる。【００５５】  蛍光灯スロット３０２は扉１４の長さのかなりの部分にわたって伸長するので、スロット３０２を実質的に覆うために、Ｃ字形カバー２０６が前記扉の内側表面に固定するように適応される。カバー２０６は機械の内容物（その中に格納された物品と同様、電子および機械部品ならびにその中に受領された支払いの蓄積も）にとっての侵入防止またはセキュリティを追加し、同時に、扉に構造的完全性をもたらし、スロット３０２によって生じる弱点を補償する。加えて、カバー２０６は、蛍光灯からの光が自動販売機の内側を照明することができ、それによって顧客がのぞき窓２０５からロボット式払出し装置の動作を見ることによって顧客を楽しませることができるように、そこに開けられた穴を持つことができる。「漏斗形」の支持フレーム３０６は前面扉の外側に面する部分に取り付け、窓２０５と整列させることができ、これは扉１４のパネル１８を支持するのを助けるために使用できることに留意されたい。さらに、窓２０５の「娯楽」機能は、漏斗形フレーム３０６の側壁に点滅するか一定したＬＥＤまたは他の灯火を配置することによって高めることができる。そのような灯火は、潜在的顧客に注意を引きつける装置として使用することもできる。【００５６】  本発明の一態様では、図４ａで４０２として示すバブル前面１８は、ブランド名または他の識別情報など事前印刷されたグラフィックスを含むことのできる第１領域４０６と、事前印刷されたグラフィックスを持たず、したがって透明または半透明である第２部分４０８とを備えている。部分４０８はしたがって、自動販売機１０の所有者またはオペレータが、自動販売機のグラフィックディスプレイを迅速かつ容易に変更するために、機械の交換可能なグラフィックパネル４１０の様々なものをそれと並んで挿入することができるように適応されている。パネル４１０はそこに複数の製品選択グラフィックス４１２を含み、各グラフィックス４１２のためまたはそれと共に価格指示のみならず関連製品選択指示（例えばＡ１、Ａ２等）をも含むこともできる。パネル４１０の構成についてのさらなる詳細は、図５に関連して説明する。さらなる実施の形態では、上部４０８は事実上ディスプレイパネル４０２のどこにでも配置することができ、実際、図示しないさらなる部分を含むことができ、そこで取出し領域２２の上、下、または横にさらなる交換可能なグラフィックパネル４１０を並置することができる。実際、バブル前面１８の部分４０６はグラフィックスを設けず、すなわち透明にしておくこともでき、グラフィックパネル４１０と同様のパネルをバブル前面１８の下部に挿入することもできる。【００５７】  本発明のさらなる態様では、交換可能なグラフィックパネル４１０は、機械オペレータが交換可能なグラフィックディスプレイパネル４１０を扉１４の内側からスロット３０８を通してパネル４０２に圧着させることによって、パネル４０２の内向き面と並んで配置される。図示した実施の形態に係る構成では、オペレータは、パネル４１０の下辺が顧客取出し領域２２の頂部２３に押し当てられ、それがフレーム９のスロット３０８に対向する側に沿って取り付けられた止め子３２０に達するまで面パネル４０２の広がり全体にわたって伸長するように、パネル４１０をスロット３０８内に押し込む。パネル４１０は、対向する止め子３２０の間にぴったりはまるような寸法に決められるので、オペレータは単にパネル４１０が行けるところまで奥に押し込み、次いでそれが所定の位置にパチンと嵌まるまでスロット３０８の縁に沿った止め子３２０に押し当てるだけである。この位置に支持されると、パネル４１０はバブル前面１８の透明部分４０８を通して、自動販売機の利用者に見える。スロット３０８は自動販売機１０の内側からしかアクセスできないので、スロット３０８への無許可アクセスおよびそれに伴うディスプレイグラフィックスの変更は実質的に防止される。本発明のさらなる実施の形態では、自動販売機１０の外側に位置する侵入者による機械内部へのアクセスを防止するだけでなく、自動販売機１０の内側からスロット３０８へのアクセスをさらに制御するためにも、図示しない蝶着された鎖錠可能なカバーをスロット３０８の上に含めることができる。【００５８】  図４ｂは、自動販売機１０の完成したグラフィック面を形成するために、パネル４０２の内向き面と並置した交換可能なグラフィックパネル４１０の完成したアセンブリを示す。希望する場合、パネル４１０は、グラフィックス４１２を取り囲み、事実上パネル４０２の部分４０６におけるグラフィックスの部分と継ぎ目無しの画像を形成することができるグラフィックスまたは色彩領域を持つことができる。加えて、パネル４１０は、図２の窓２０５と整列する透明な窓部４１４（仮想線で示す）を持つことができ、それによって自動販売機の利用者が払出し動作中にその「作業」を見る娯楽機会を提供する。【００５９】  パネル４１０の取外しを助けるために、スロット３０８に隣接する止め子３２０の１つまたはそれ以上は実際には蝶着して、片持ち梁で支えられてスロット３０８内に出し入れし、それによって対向止め子３２０間の張力嵌合からパネル４１０を取り外すのを助長する「靴べら」型レバーを形成することができる。代替的に、オペレータがいつでも利用することができるように、スロット３０８付近に取り付けられたチェーンに靴べら型レバーを設けることができる。動作中、オペレータは、パネル４１０の縁をパネル４０２から離すように動かすまたは持ち上げるために、止め子３２０付近でパネル４１０の縁にレバーを差し込み、次いでパネル４１０の縁をオペレータが確実に把持し、スロット３０８を介してパネル４１０をパネル４０２との並置状態から取り外すことができる。【００６０】  透明部分４０８は、交換可能なグラフィックパネル４１０の１つまたはそれ以上を並置させることのできる場所を提供するだけでなく、価格指示と同様に関連製品選択指示の並置をも可能にする。これらの指示はパネル４１０に含めることができ、あるいはさらなる実施の形態では、これらの指示はパネル１８の内向き面に事前印刷することができるが、そのような実施の形態では、パネル１８を交換しない限り、製品選択および価格の指示の変更が妨げられる。【００６１】  前面扉１４の内向き部分の頂部には、図２に示す間隔をおいて配置されたフック５２５を含むことができ、それは、図５に関連して詳述するように、自動販売機１０にグラフィックパネルによって表示される製品の対応する選択番号および価格を適切にプログラムするために、オペレータがグラフィックパネル上のグラフィックカードを見ることができるように、グラフィックパネル４１０を挿入してバブル前面１８と並置させる前に支持するために使用される。加えて、グラフィックパネル４１０がフック５２５によって吊り下げられている間に、オペレータは、ホルダシート５１６にアクセスすることができるように、かつ必要ならばその上の製品選択カード５２０を交換または再配設することができるように、製品選択カード５２０を交換または再構成するために正面シート５３０を「裏返す」ことができる。【００６２】  本発明の上述の態様は、前面グラフィックスの視覚的に重要な部分が事前印刷されるということで自動販売機を「ブランド化」させ、したがって自動販売機によって提供される「主要」製品を潜在的利用者に示すことを可能にする。本発明のこの「ブランド化」の態様は、特定の食品製造者にとってオペレータまたは機械製造者に対し財政的貢献をする可能性のある誘因であり、それは自動販売機１０の購入価格を相���するために使用することができる。追加グラフィックパネル４１０の使用により、同一ブランドではなく、あるいは同一ブランドであるが製品選択を特定の用途または自動販売機が配置される地域に合わせて調整するために使用することをオペレータが希望している販売可能な製品の小部分を自動販売機オペレータが表示させる機構が得られる。【００６３】  上述した通り、追加グラフィックパネルは、パネル１８上の事前印刷グラフィックスと整合する事前印刷グラフィックスを含み、それによって２つのグラフィック領域にまたがって見掛け上継ぎ目の無い画像を形成することができる。【００６４】  本発明の様々な実施の形態の上記説明による前面パネル１８の構成は、その事前印刷グラフィックスの最小化のため、パネル１８のコストを大幅に低減し、該グラフィックスは一般的に自動販売機１０の動作寿命中に繰り返し変化する。したがって、本発明は販売機のグラフィックディスプレイを制御可能に変更するための確実かつ費用効果的な方法を提供する。【００６５】  図５ａ、５ｂ、および５ｃは、本発明の原理にしたがって構成された交換可能なグラフィックパネル４１０の一実施の形態を示す。この実施の形態では、交換可能なグラフィックパネル４１０は、個々の変更可能なグラフィックディスプレイ４１２を「縁取る」ように大きさを決められてシート５１０上に配置される、事前印刷された境界５１２を有する透明シートを備えたマスクシート５１０を含む。事前印刷された境界５１２は、各境界領域５１２内に、製品選択指示（例えばＡ１、Ｂ２等）および多分価格指示をも表示するための１つまたはそれ以上の領域５１４をも含むことが好ましい。シート５１０はまた、一様な色、背景画像、または「ブランド」型ディスプレイまたは宣伝グラフィックスなど、さらなるグラフィックスをそこに含めることができるが、シート５１０の各境界５１２内の部分は透明であることが好ましい。一実施の形態では、シート５１０は、約０．０２０インチの厚さを有する透明な可撓性のポリビニル材を含むことができる。加えて、シート５１０のさらなるグラフィック画像は、統一された単一の画像を作るように見せるために、シート５１６、５２２、または１８の画像のいずれかと組み合わせることができる。【００６６】  図５ｂは、シート５１０と同様の材料で構成され、同一サイズに決められたホルダシートを示すが、それにはスロット５１８の配列が切り込まれている。スロット５１８は、各交換可能なグラフィックカード５２０のかなりの部分がホルダシート５１６の前方を向いた側の上にくる一方、各交換可能なグラフィックカード５２０の隅部分が対応するスロット５１８を通ってホルダシート５１６の裏側に進むように、オペレータによって配設される複数の交換可能なグラフィックカードの隅を嵌め込むために使用される。図示した実施の形態では、ホルダシート５１６は、２列の交換可能なグラフィックカード５２０を保持するのに充分なスロット５１８の配列を有する。【００６７】  図５ｃは、シート５１０と同様の材料で構成され、同一サイズに決められたホルダシート５２２を示すが、その厚さはシート５１０および５１６よりかなり大きく、例えば２倍の厚さである。支持シート５２２の目的は、その上の交換可能なグラフィックカード５２０の配置を保護するために、ホルダシート５１６のためにシート５１０と共にサンドイッチを形成することである。加えて、支持シート５２２の余分の厚さのため、シート５１０、５１６、および５２２の完成したアセンブリは、バブル前面１８の内面に対して交換可能なグラフィックパネル４１０の上述した「張力およびスナップ嵌合」が達成されるように、充分な「剛性」を有する。例えばプラスチック製リベットを用いてシートをその上縁に沿って一緒に固定することができるように、シート５１０、５１６、および５２２の各々の頂部に沿って穴を設けることができる。交換可能なグラフィックパネル４１０によってディスプレイ面に行われる変更を考慮して自動販売機１０をプログラムし直すときに、オペレータが交換可能なグラフィックパネル４１０を見ることができるようにするため、扉１４の上部内縁からぶら下がるフック５２５（図２に示す）に完成したアセンブリを掛けることができるようにするために、完成したアセンブリの頂部に沿って追加の穴を設けることができる。【００６８】  本発明のさらなる実施の形態では、交換可能なグラフィックカード５２０は、対向するガイドレールおよびシート５１０の裏面に接着剤で付着した底部レールによって形成されるポケットなど、多くの他の従来の保持手段のいずれかを用いてホルダシート５１６に保持することができる。同様の接着剤で付着したポケットを、関連製品選択および価格指示を保持するために使用することができる。【００６９】  さらなる実施の形態では、交換可能なグラフィックパネル４１０は、実質的にシート５１６および５２２と一致する透明なプラスチック材の２枚だけのシートを備えることができる。「マスク」シート５１０の機能の大部分は、このシートに配置されていたグラフィックスを代わりにバブル前面１８の内向き面に印刷することによって達成することができる。その場合、交換可能なグラフィックカード５２０を保持するために、シート５１６は交換可能なグラフィックカード５２０およびおそらくその関連選択または価格指示を、シート５１６のバブル前面１８に面する側ではなく、シート５２２に面する側に保持する。この方法で、交換可能なグラフィックカード５２０およびその関連選択または価格指示はシート５１６と５２２の間に挟まれる。さらなる実施の形態では、各ポケットの頂部付近でシート５１６に形成されたスロットに交換可能なグラフィックカード５２０およびそれらの関連選択または価格指示カードを差し込むことを可能にする充分なサイズのポケットが形成されるように、適切に配置されたスペーサまたは止め子をシート５１６と５２２の間に挟むことができる。２枚のシートの後部は、完成したアセンブリに必要な剛性を提供するために、より厚いシートで構成される。さらに、スペーサまたは止め子を使用する代わりに、シート５１６は、交換可能なグラフィックカード５２０と同じ幅のスロットを持つだけにすることができ、カードの頂部は側部の幅よりわずかに大きい幅を持つことができる。使用中、スロット内に配置されたカードは、２枚のシート間の空間で、そのより幅広い頂部がそれ以上下降しなくなる��で落下し、次いでカードは所定の位置に保持される。同様の技術は対応する価格および選択指示に使用することができる。【００７０】  本発明の原理に係る、すなわち第１および第２グラフィックディスプレイパネルと組み合わせたグラフィック導入スロットを含む、交換可能なグラフィックスのための方法および装置、ならびに第２グラフィックディスプレイパネルを形成する複数シートアセンブリの場合の図示した実施の形態は各々、許可された者だけが変更を行うように販売機のディスプレイ面の個別選択を表す変更を制御するための特に有利な方法を提示する。特に有利なのは、単一の交換可能なグラフィックアセンブリを販売機から離れた場所で作成または組み立てることができ、それにより交換可能なグラフィックカードだけでなく、選択の各グラフィックイラストレーションの関連価格タグおよび選択タグならびに各グラフィックカードのディスプレイ面における相対位置も同様に変更できることである。さらに、交換可能なグラフィックディスプレイパネルが、一緒に挟み込まれて単一の交換可能なグラフィックアセンブリを形成する３枚の整列したシートを備えている好適な実施の形態は、交換可能なグラフィックパネルの実質的に全部を低価格プラスチックで作ることができ、固締具を使用することなく（例えば上述した圧入技術を使用することによって）遠隔場所で組み立てることができ、それによりツールが不要であり、低コストアセンブリが助長されるので、特に有利である。これらの特徴は、販売機のディスプレイ面部分の変更にこれまで得られなかった柔軟性および制御をもたらす。【００７１】  完全かつ明瞭な開示を行うために本発明を特定の実施の形態に関連して説明したが、ここに記載する発明はそのように限定されず、ここに記載した基本的教示の範囲に公正に該当する交換可能なグラフィックカード４１０を形成するために他の材料および技術を使用するなど、過度の実験を行うことなく当業者が思いつくことのできる全ての変形および代替構成を包含すると解釈されるものとする。記載した早替えディスプレイを取り付ける販売機を持つことを必要とせずにディスプレイ面として使用するなど、本発明の記載した態様の様々な組合せが本書により示唆されると予想される。そのような組合せまたは部分組合せは本発明の範囲内に含まれることが充分に予想される。
【図面の簡単な説明】
【００７２】
【図１】  本発明の原理にしたがって構成されかつ作動する自動販売機の正面斜視図。
【図２】  内部の主要な機械的および電気的構成要素を示すために前面扉が開いた状態の図１の自動販売機の正面斜視図。
【図３】  本発明の原理にしたがって構成されかつ作動する、ディスプレイ面が取り外された状態の図１の自動販売機の扉の正面図。
【図４ａ】  本発明の原理に係る図１の自動販売機のディスプレイ面のカスタム化を可能にするために、交換可能なグラフィックパネルと前面扉に取り付けられた事前印刷グラフィックパネルの透明部分との協働を示す略図。
【図４ｂ】  本発明の原理に係る図１の自動販売機のディスプレイ面のカスタム化を可能にするために、交換可能なグラフィックパネルと前面扉に取り付けられた事前印刷グラフィックパネルの透明部分との協働を示す略図。
【図５ａ】  本発明の原理にしたがって構成される交換可能なグラフィックパネルの一実施の形態の構成要素を示す略図。
【図５ｂ】  本発明の原理にしたがって構成される交換可能なグラフィックパネルの一実施の形態の構成要素を示す略図。
【図５ｃ】  本発明の原理にしたがって構成される交換可能なグラフィックパネルの一実施の形態の構成要素を示す略図。
【図６ａ】  図３に示した圧迫手段、例えばばねタブの詳細図。
【図６ｂ】  図３に示した圧迫手段、例えばばねタブの詳細図。
【図１】
2005516265.tif 000003
【図２】
2005516265.tif 000004
【図３】
2005516265.tif 000005
【図４ａ】
2005516265.tif 000006
【図４ｂ】
2005516265.tif 000007
【図５ａ】
2005516265.tif 000008
【図５ｂ】
2005516265.tif 000009
【図５ｃ】
2005516265.tif 000010
【図６ａ】
2005516265.tif 000011
【図６ｂ】
2005516265.tif 000012
【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
販売機のためのエンクロージャを画定するキャビネット（１２）と、
前記エンクロージャの内部に配置された物品格納領域（２１６）および物品払出し構成と
を備えた販売機（１０）において、
前記キャビネットのディスプレイ部分（１４、１８）が前記エンクロージャの一部分を形成し、前記ディスプレイ部分（１４、１８）が、
前記販売機の外側と内側との間に物理的障壁を形成する壁部分（２０）を含み、前記壁部分（２０）が、
前記壁部分の外向き面に相対的に固定され取り付けられた外側ディスプレイパネル（１８）であって、前記販売機の前記ディスプレイ部分（１４、１８）の少なくとも一部を形成する外面を有し、かつ少なくとも一部分が前記壁部分から間隔を置いて配置された内面を有する外側ディスプレイパネル（１８）と、
前記外側ディスプレイパネル（１８）が取り付けられた前記壁部分（２０）の一部分に前記販売機の外側からアクセスできないように形成されたスロット（３０８）であって、交換可能なグラフィックディスプレイパネルを前記壁部分（２０）の前記販売機の内側を向いた側から前記外側ディスプレイパネル（１８）の内向き面と並置する位置に選択的に配置させることができるように寸法が決められかつ指向されたスロット（３０８）と
を有する
ことを特徴とする販売機。
【請求項２】
前記格納領域内の物品を表すグラフィックスを有するように構成された交換可能なグラフィックスディスプレイパネル（４１０）をさらに含む、請求項１に記載の販売機。
【請求項３】
前記ディスプレイ部分（１４）が前記ディスプレイパネル（１８）をそこに固定するための圧迫手段（９）を含む、請求項１に記載の販売機。
【請求項４】
前記キャビネットの前記ディスプレイ部分が前記キャビネットの内側へのアクセスを提供するための扉（１４）を含む、請求項１に記載の販売機。
【請求項５】
前記扉（１４）が、
前記販売機の内側への無許可アクセスを防止するためのロック（３６）と、
前記外側から前記キャビネットの内側への無許可侵入を遮るように、前記スロット（３０８）と並置して前記扉の内側に解除可能に固定されるカバーと
を含む、請求項４に記載の販売機。
【請求項６】
前記カバーが鎖錠可能である、請求項４に記載の販売機。
【請求項７】
前記外側ディスプレイパネル（１８）が透明部分（４０８）を含み、
交換可能なグラフィックディスプレイパネルがそこを通って前記透明部分と並んで配置可能なように、前記スロット（３０８）が前記透明部分に隣接して配置された、請求項１に記載の販売機。
【請求項８】
前記交換可能なグラフィックディスプレイパネル（４１０）の縁を解除可能に係合し、かつ、前記交換可能なグラフィックパネルを前記外側ディスプレイパネル（１８）の内向き面に対して圧迫して張力嵌合させるように前記縁に力を加えるための圧迫手段（３２０）をさらに含む、請求項１に記載の販売機。
【請求項９】
前記圧迫手段（３２０）が前記スロットに沿って配設され、前記扉の内側でアクセス可能である、請求項８に記載の販売機。
【請求項１０】
前記圧迫手段（３２０）が、前記交換可能なグラフィックパネルの前記縁を受容する第１位置と、前記圧迫力を与える第２位置との間で枢動可能である、請求項９に記載の販売機。
【請求項１１】
前記圧迫手段（３２０）が、前記スロットに沿って配設された複数のばねクリップと、前記ディスプレイパネル１８の前記スロットに対向する部分に対向するように配設された対応する複数のばねクリップとを含み、前記対向するばねクリップ間の距離が、前記交換可能なグラフィックパネルの前記縁に前記圧迫力を与えるように決定される、請求項８に記載の販売機。
【請求項１２】
ディスプレイ面の実質的に外側全体を形成するための第１ディスプレイパネル（１８）であって、少なくとも一部分が透明である第１ディスプレイパネルと、
ディスプレイグラフィックスを含む第２ディスプレイパネル（４１０）と、
前記交換可能なグラフィックパネルを前記第１ディスプレイパネルの内側に対して圧迫して張力嵌合させ、前記第２ディスプレイパネルの一部が前記第１ディスプレイパネルの透明部分（４０８）の少なくとも一部を通して見えるように整列させるべくばね力を提供するように、前記第２ディスプレイパネルの縁部を解除可能に係合するための１つまたは複数のばね力発生装置（３２０）と
を備えたディスプレイ面。
【請求項１３】
前記ディスプレイ面が自動販売機の外側ディスプレイ部分を形成し、
前記第２ディスプレイパネル（４１０）が前記販売機に格納された物品を表すディスプレイグラフィックスを含む、
請求項１２に記載のディスプレイ面。
【請求項１４】
前記第１ディスプレイパネルの透明部分が前記物品販売機の実質的にディスプレイ面全体を構成する、請求項１２に記載のディスプレイ面。
【請求項１５】
前記第１ディスプレイパネルの透明部分が前記販売機のディスプレイ面の一部分を構成する、請求項１２に記載のディスプレイ面。
【請求項１６】
前記第２ディスプレイパネルが、前記販売機に格納された物品を表す交換可能な補足グラフィックカード（５２０）を保持するための第１シート（５１６）を含む、請求項１２に記載のディスプレイ面。
【請求項１７】
前記第１シートが、前記販売機に格納された特定の物品の選択識別を表すグラフィックスをも保持する、請求項１６に記載のディスプレイ面。
【請求項１８】
前記第１シートが、前記特定の物品の価格を表すグラフィックスをも保持する、請求項１６に記載のディスプレイ面。
【請求項１９】
前記第２ディスプレイパネル（４１０）が前記第１シートと実質的に同一形状を有する第２シート（５１０）を含み、かつ、前記第１及び第２シートが相互に重ねて配置されたときに前記第１シートに保持されたカードを補足するように配置された事前印刷グラフィックス（５１２、５１４）を含む、請求項１６に記載のディスプレイ面。
【請求項２０】
前記第２シートの前記事前印刷グラフィックスが、
前記販売機に格納された特定の物品を表す前記第１シート（５１６）の交換可能なグラフィックカード（５２０）のための
境界（５１２）、
一意の選択識別子（５１４）、および
価格（５１４）
のうちの１つまたはそれ以上を含む、請求項１９に記載のディスプレイ面。
【請求項２１】
前記第１シート（５１６）が、前記第１シートに形成されたスロット（５１８）を用いて前記カード（５２０）をその上に保持する、請求項１６に記載のディスプレイ面。
【請求項２２】
前記第１シートのスロットが、前記カード（５２０）の隅部を受容して前記カードを予め定められた位置に保持するように配置される、請求項２１に記載のディスプレイ面。
【請求項２３】
前記第１シート（５１６）のスロットが、前記カードの幅部分を受容して前記カードを予め定められた位置に保持するように配置される、請求項２１に記載のディスプレイ面。
【請求項２４】
前記カードが前記第１シートに対して移動するのを防止し、かつ前記第２ディスプレイパネル（４１０）の前記第１、第２、および張力シートのアセンブリに対する補強材として働くように、前記第１シートの片面に配置される、前記第１シートと実質的に同一形状を有する張力シート（５２２）をさらに含む、請求項２１に記載のディスプレイ面。
【請求項２５】
前記第１シートと実質的に同一形状を有する第２シートであって、前記第１シートが事前印刷グラフィックスを含んでおり、前記第１および第２シートが相互に重ねて配置されたときに前記第１シートに保持されたカードを補足するように、前記第１シートの反対側の面に配置される第２シートをさらに含む、請求項２１に記載のディスプレイ面。
【請求項２６】
前記第１、第２、および張力シートを一緒に固定するための手段が備えられた、請求項２５に記載のディスプレイ面。
【請求項２７】
前記固定手段が前記第１シートおよび張力シートの一方にタブ部を含み、それが前記第１シートおよび張力シートの他方にあり前記タブ部と整列した受容部を解除可能に係合する、請求項２６に記載のディスプレイ面。
【請求項２８】
前記タブ部が摩擦嵌合を用いて前記受容部を解除可能に係合する、請求項２６に記載のディスプレイ面。
【請求項２９】
販売機のディスプレイ面を制御するための方法であって、
前記ディスプレイ面の外側部分を形成するために、少なくとも一部分（４０８）が透明である第１ディスプレイパネル（１８）を外側に実質的永久に取り付けた販売機を提供するステップと、
前記販売機に格納される物品を表すディスプレイグラフィックス（５２０）を含む交換可能な第２ディスプレイパネル（４１０）であって、前記第１ディスプレイパネルの透明部分と整列するように大きさを決められた第２ディスプレイパネルを提供するステップと、
前記第２ディスプレイパネルの縁部を解除可能に係合して前記縁部にばね力を与え、前記ばね力が、前記第２ディスプレイパネルを前記第１ディスプレイパネルの内側面に対して圧迫して張力嵌合させ、前記第１ディスプレイパネルの透明部分（４０８）と整列させて、前記ディスプレイグラフィックス（５２０）が前記販売機の利用者に見えるようにするステップと
を含む方法。
【請求項３０】
縁部付近にスロットを含んで成る前記ディスプレイ部分を有するキャビネットを含む販売機のディスプレイ面を制御するための方法であって、
前記ディスプレイ面の外側部分を形成するために、少なくとも一部分（４０８）が透明である第１ディスプレイパネル（１８）を外側に実質的永久に取り付けた販売機を提供するステップと、
前記販売機に格納される物品を表すディスプレイグラフィックス（５２０）を含むように構成された交換可能な第２ディスプレイパネル（４１０）を提供するステップと、
前記スロットを介して前記ディスプレイ部分の内側から前記ディスプレイ部分の外側まで前記第２パネルを送り、前記第２パネルを前記第１ディスプレイパネルの透明領域と並置させるステップと、
前記第２ディスプレイパネルの縁部を解除可能に係合して前記縁部にばね力を与え、それが前記第２ディスプレイパネルを前記第１ディスプレイパネルの内側面に対して圧迫して張力嵌合させ、前記第１ディスプレイパネルの透明部分（４０８）と整列させて、前記ディスプレイグラフィックス（５２０）が前記販売機の利用者に見えるようにするステップと
を含む方法。
【請求項３１】
前記販売機が縁部付近にスロットを含むディスプレイ部を有するキャビネットを含み、前記提供ステップが、
前記第２パネルを前記スロットに通して前記ディスプレイ部の内側から前記ディスプレイ部の外側に送り、前記第２パネルを前記第１ディスプレイパネルの透明領域と並置させるステップ
を含む、請求項２９に記載の方法。
【請求項３２】
前記販売機からの個々の選択を表す交換可能なグラフィックディスプレイカードを前記第２ディスプレイパネル上に配置するステップ
をさらに含む、請求項２９または３０に記載の方法。
【請求項３３】
前記配置ステップが、
前記販売機に格納された特定の物品を表す交換可能なグラフィックカード（５２０）のための境界、一意の選択識別子または価格のうちの１つまたはそれ以上を表す事前印刷グラフィックスを有する第１可撓性シート（５１０）を提供するステップと、
前記交換可能なグラフィックカードを保持するために前記第１可撓性シートと並置して第２可撓性シート（５１６）を提供するステップと
を含む、請求項３２に記載の方法。
【請求項３４】
前記第１および第３可撓性シートの間に前記第２可撓性シートを挟むように第３可撓性シート（５２２）を提供するステップ
をさらに含む、請求項３３に記載の方法。
【請求項３５】
自動物品販売機の外側ディスプレイ部分を形成するためのディスプレイ面において、前記ディスプレイ面が、
前記ディスプレイ面の外側の一部分を形成するための第１ディスプレイパネル（１８）であって、少なくとも一部分（４０８）が透明である第１ディスプレイパネルと、
前記第１ディスプレイパネルの内向き面と共形嵌合状態で配置されることに適応した可撓性のある第２ディスプレイパネル（４１０）であって、透かして見ることができる複数の表示領域（４１２）を含み、複数の可撓性のある第３ディスプレイパネル（５２０）の各々を前記複数の表示領域の各々と並置した状態で解除可能な係合をするように構成された第２ディスプレイパネル（４１０）と
を含み、
前記可撓性のある第２ディスプレイパネル（４１０）が前記第１ディスプレイパネル（１８）の内向き面に前記共形嵌合状態で配置され、かつ前記可撓性のある第３ディスプレイパネル（５２０）がそこに係合された後、前記可撓性のある第３ディスプレイパネル（５２０）の少なくとも一部分が前記第１および第２ディスプレイパネル（１８、４１０）の前記透明な表示領域（４０８、４１２）の一部分を通して見えるように、前記可撓性のある第３ディスプレイパネル（５２０）の各々が選択可能な物品グラフィックディスプレイをそこに含む
ことを特徴とするディスプレイ面。
【請求項３６】
前記可撓性のある第２ディスプレイパネル（４１０）が前記第１ディスプレイパネル（１８）の前記内向き面の内側に前記共形嵌合状態で配置されているときに、前記可撓性のある第２ディスプレイパネル（４１０）が前記複数の可撓性のある第３ディスプレイパネル（５２０）を解除可能に保持することに適応した、請求項３５に記載のディスプレイ面。
【請求項３７】
前記可撓性のある第２ディスプレイパネル（４１０）が前記第１ディスプレイパネル（１８）の前記内向き面の内側に前記共形嵌合状態で配置されているときに、前記可撓性のある第２ディスプレイパネル（４１０）が、前記可撓性のある第３ディスプレイパネル（５２０）のそれぞれと並置した状態で価格または選択英数字を表すグラフィックスを有する少なくとも１つの第４ディスプレイパネルを解除可能に保持するように構成された、請求項３６に記載のディスプレイ面。
【請求項３８】
前記第１ディスプレイパネル（１８）が前記ディスプレイ面の外側の突状弯曲部分を形成する、請求項３５に記載のディスプレイ面。
【請求項３９】
前記第１ディスプレイパネル（１８）が、予め印刷されたグラフィックスの領域（４０６）と、実質的に透明である少なくとも１つの領域（４０８）とを含む、前記請求項３５に記載のディスプレイ面。
【請求項４０】
前記可撓性のある第２ディスプレイパネル（４１０）が、予め印刷されたグラフィックスの領域（５１２）と、少なくとも１つの透明な領域（５１０）とを含む、請求項３５に記載のディスプレイ面。
【請求項４１】
前記可撓性のある第２ディスプレイパネル（４１０）の実質的に全体が透明である、請求項３５に記載のディスプレイ面。
【請求項４２】
前記可撓性のある第２ディスプレイパネル（４１０）が、前記可撓性のある第３ディスプレイパネル（５２０）を保持するための複数の保持装置（５１８）を含む、請求項３５に記載のディスプレイ面。
【請求項４３】
前記保持装置（５１８）が前記可撓性のある第２ディスプレイパネル（４１０）のカットアウト（５１８）を含み、前記カットアウト（５１８）が、前記可撓性のある第３ディスプレイパネル（５２０）の少なくとも隅部を保持するように配置された、請求項４２に記載のディスプレイ面。
【請求項４４】
自動販売機の突状に弯曲した外側ディスプレイ部分を形成するためのディスプレイ面において、前記ディスプレイ面が
前記ディスプレイ面の外側の突状弯曲部分を形成するための第１ディスプレイパネル（１８）であって、少なくとも一部分が透明である第１ディスプレイパネルと、
ディスプレイグラフィックスを含む第２ディスプレイパネル（４１０）と、
前記第２ディスプレイパネル（４１０）のディスプレイグラフィックスが前記第１ディスプレイパネルの透明部分（４０８）と整列した状態で、交換可能なグラフィックスパネルを前記第１ディスプレイパネルの内側に対して圧迫して張力嵌合させるように、前記第２ディスプレイパネルの縁部を解除可能に係合するための圧迫手段（３２０）と、
上に配置された予め印刷されたグラフィックス（５１２、５１４）を有する第１シート（５１０）であって、前記第１シートの前記予め印刷されたグラフィックスの少なくとも一部が前記第１ディスプレイパネルの透明部分を通して見えるように、前記第１ディスプレイパネルと張力嵌合状態で整列されている第１シート（５１０）と、
前記販売機内に格納された商品を表す交換可能な補足的グラフィックカード（５２０）を保持するための第２シート（５１６）であって、前記第１ディスプレイパネルの透明部分を通して見たときに、前記第１シート上の前記予め印刷されたグラフィックスを補足するように、同じく前記第２ディスプレイパネルと張力嵌合状態で整列されている第２シート（５１６）と
を備えたディスプレイ面。
【請求項４５】
前記第１シートの前記予め印刷されたグラフィックスが、前記交換可能なグラフィックスカード（５２０）のための境界（５１２）、一意の選択識別子（５１４）、または価格（５１４）のうちの１つまたはそれ以上を含む、請求項４４に記載のディスプレイ面。
【請求項４６】
前記第２シート（５１６）が、前記第２シートに形成されたスロット（５１８）を用いて前記カード（５２０）をその上に保持する、請求項４４に記載のディスプレイ面。
【請求項４７】
前記第２シートのスロットが、前記カード（５２０）の隅部を受容して前記カードを予め定められた位置に保持するように配置される、請求項４６に記載のディスプレイ面。
【請求項４８】
前記第２シート（５１６）の前記スロットが、前記カードの幅部分を受容して前記カードを予め定められた位置に保持するように配置される、請求項４６に記載のディスプレイ面。
【請求項４９】
前記カードが前記第２シートに対して移動するのを防止し、かつ前記第２ディスプレイパネル（４１０）の前記第１、第２、および張力シートのアセンブリに対する補強材として働くように、前記第２シートの前記第１ディスプレイパネルとは反対側の面に配置するために、少なくとも前記第２シートと同程度のサイズを有する張力シート（５２２）をさらに含む、請求項４４に記載のディスプレイ面。
【国際調査報告】
2005516265.tif 000013